(57)【要約】      （修正有）【課題】清掃に適する保水能力、抗張性並びに復元力を備え、清掃の作業負担を軽減可能にするモップ束体を提供する。【解決手段】合成樹脂製の発泡体からなる細長い帯状体１ａを重ね合わせ、両者を長手方向に沿って中央部で線状に縫着して一体にして紐状体１を形成する。この紐状体１の複数本を紐状体保持帯体２の左右に沿って並整列させると共に、この紐状体１を左右一定の長さに調節する。この並整列された紐状体１の相対向する側を紐状体保持帯体２に縫着などの固着手段で固定する。この紐状体保持帯体２を紐状体挟持具２に装填する。【選択図】図１
0003134629.tif 000002
【実用新案登録請求の範囲】
【請求項１】
多数本の紐状体を操作柄の下端に設けられた紐状体挟持具に着脱自在に挟持して使用されるモップ束体であって、
合成樹脂製の発泡体からなる細長い帯状体を重ね合わせ、両者を長手方向に沿って中央部で線状に縫着して一体にし、吸水性、抗張性、復元性に富む紐状体を形成し、該紐状体の複数本を幅広の紐状体保持帯体の左右に並整列させ、該左右に並整列された前記紐状体を左右一定の長さに調節すると共に該並整列された前記帯状体の相対向する側を前記紐状体保持帯体に縫着などの固着手段で固定し、前記紐状体保持帯体を前記紐状体挟持具に装填させて挟持することを特徴とするモップ束体。
【請求項２】
前記紐状体が、吸水性、抗張性、復元性に富むＰＶＡを素材とした帯状の発泡体て構成されていることを特徴とする請求項１に記載のモップ束体。
【考案の詳細な説明】
【技術分野】
【０００１】
本考案は、床面などの清掃に利用する清掃用具のモップ束体に係り、特に操作柄に装着して行われるモップ清掃具を構成する紐状体の給排水性を高めると共に抗張性、復元力を備えたモップ束体に関する。
【背景技術】
【０００２】
従来から、操作柄の先端に取り付けられたモップ体に、水分を吸収させて、床面に押し当てることにより清掃を行えるようにしたモップ清掃用具が広く利用されている。また、このモップ体としては、一般に、吸水性が高い木綿製の原糸を撚り合わせた複数本の撚糸を整列させたものが用いられている。しかし、床面を拭くなどの掃除作業をした場合に、木綿糸の撚糸同士の絡みなどによって、床面との摩擦に不均一が生じ、効率よい清掃が出なかったり、摩擦によって、その撚糸の撚りが次第に解けて、原糸が分離、破断し易くなっていた。また、撚糸同士の絡みて、吸水・絞りが均一に行われなかったりしていた。
【０００３】
これに対し、複数の撚糸どうしを、熱融着糸を中心に撚り合わせて、熱融着するものが提案されている（例えば、特許文献１参照）。これによれば、撚糸どうしの結着によって撚り戻しによる前記のような原糸の分離、破断を回避することができる。
【特許文献１】特開平７−１１５３６号公報
【考案の開示】
【考案が解決しようとする課題】
【０００４】
しかしながら、前記のような撚糸を用いるものにあっては、操作柄の先端に取り付けられたモップ体を水に浸漬し、扱きながら水洗いし、さらに水切りを行った後、再び床面に載せて水拭きを行う場合に、多量の水が原糸および撚糸間に保持されて、モップ束体の重量が大きくなる。このため、操作柄の操作が重くなり、清掃作業者の作業負担が大きくなるという不都合があった。
【０００５】
また、木綿繊維を撚り合わせた撚糸は、抗張性に乏しく、かつ復元力がほとんど無く。このため前記撚糸が、水分を吸収したとき互いに絡まると、モップ体の一部が床面の拭き掃除に関与しなくなる場があり、例えば１回拭きでは拭き残しが生じるという問題があった。
【０００６】
本考案は、前記のような従来の問題点を解決するものであり、モップ束体を構成する複数の帯状体自体に軽量で耐久性がある素材を用いることで、清掃作業者の作業負担を軽減可能にするとともに、帯紐状体にある程度の抗張力と復元力を維持させながら清掃に適する保水能力をも維持可能にすることで、モップ束体を構成する紐状体の給排水能力を高めると共に絡まりを防止し、拭き残しをなくし、床面等の全体を清掃に関与させることができ、所期のクリーンな清掃作業を実施することができるモップ束体を得ることを目的とする。
【課題を解決するための手段】
【０００７】
前記目的達成のために、本考案にかかるモップ束体は、多数本の紐状体を操作柄の下端に設けられた紐状体挟持具に着脱自在に挟持して使用されるモップ束体であって、
合成樹脂製の発泡体からなる細長い帯状体を重ね合わせ、両者を長手方向に沿って中央部で線状に縫着して一体にし、吸水性、抗張性、復元性に富む紐状体を形成し、該紐状体の複数本を紐状体保持帯体の左右に沿って並整列させ、該左右に並整列された紐状体を左右一定の長さに調節すると共に並整列された前記紐状体の相対向する側を前記紐状体保持帯体に縫着などの固着手段で固定し、前記紐状体保持帯体を前記紐状体挟持具に装填させて挟持することを特徴とする。
【０００８】
この構成により、モップ束体を構成する紐状体は、中央部で線状に縫着して一体にしているので、縫合部を中心として断面Ｘ字状の形態を構成するので、発泡体の持つ吸水性と抗張性で、紐状体自体が吸水すると抗張すると共に所定の吸水性を維持して所定量の水を保持する。このため、モップ束体の重量が水を含むことによって必要以上に重くなることを回避することができ、操作柄の操作による床面の払拭作業を軽快かつ容易に行える。また、紐状体を絞ると、気泡から水分が流出して、軽くなり、持ち運びに便利である。
更に、紐状体は、合成樹脂製の発泡体からなる細長い帯状体を重ね合わせて構成されるので、発泡体の持つ抗張性と共に、復元力が発揮され、紐状体同士が絡まることが無い。
【０００９】
また、本考案にかかるモップ束体の紐状体は、ＰＶＡを素材とした細長い発泡体で、帯状体に構成したことを特徴とする。
これにより、紐状体を構成する帯状体自体が持つ多数の微小孔により総重量を少なくすることができるとともに、過剰な吸水または保持を回避して、保水量を適正化することができる。
【考案の効果】
【００１０】
本考案によれば、モップ束体を構成する複数本の紐状体自体を、発泡体で構成することで、軽量化し、かつ耐久性を持たせることにより、清掃作業者の作業負担を軽減可能にする。また、紐状体を合成樹脂製の発泡体で構成することで、清掃に適する保水能力を維持すると共に、吸水すると発泡体の持つ抗張性で、紐状体相互が絡まることが無く、かつ復元性も高く、清掃作業を的確かつ効率よく実施することができるという効果が得られる。
【考案を実施するための最良の形態】
【００１１】
以下に、本考案の実施の形態を、図面を参照しながら説明する。
図１は本考案の実施の形態によるモップ束体を構成する紐状体の斜視図、図２はモップ束体の平面図、図３はモップ束体の使用直前の形態を示す斜視図、図４はモップ束体を操作柄に装着する状態の斜視図、図５はモップ束体を操作柄に紐状体挟持具で固定する状態の斜視図である。
【００１２】
本実施の形態によるモップ束体Ａは、図１，２に示すように、合成樹脂製の発泡体で構成される細長い帯状体１ａを重ね合せて一体化した紐状体１と、この紐状体１を左右に並整列した様態で保持する紐状体保持帯体２とから構成される。紐状体１は、合成樹脂製発泡体シートを細長く帯状に裁断して帯状体１ａを形成する。この細い帯状体１ａを２枚用意し重ね合わせ、長手方向に沿って略中心に強靭性のある縫合糸３を用いて略直線状に縫合されて一体化したものである。この縫合した複数本の紐状体１，１…の一端部を、紐状体保持帯体２の幅方向の両端部に整列するように縫合したものである。紐状体１の長さ（ａ）は、例えば２５〜３０ｃｍ長が好ましい。
【００１３】
紐状体１を構成する帯状体１ａは、ポリビフェニールアルコール（ＰＶＡ）を素材とした発泡体で、細長い帯状に造られる。この帯状体１ａは、多数の微小気泡によって、軽量で適量の吸水性を持つ微小孔が形成されている。さらに、発泡体は、吸水することで抗張性を有し、弾力性に富み、復元力が強いので、多数本が並整列されていても、紐状体１，１…同士が絡むおそれが無い。
【００１４】
そして、紐状体１は前述のように、２枚の帯状体１ａ，１ａが中心部にて縫合されているため、紐状体１の接合断面がＸ字状をなし、表面積が４方向と広く発揮されるので、各紐状体１，１間での水の保持と絞り出しが効率よく行える。従って、過剰な水の保持によるモップ束体Ａの無用な重量増加を軽減することができる。また、紐状体１は、縫合によって断面がＸ字状を形成するので、素材の持つ抗張性と、弾力性を備えた復元力が付与されている。これにより、隣り合う紐状体１どうしの絡み合いを抑えることができる。
【００１５】
紐状体保持帯体２は、図２，３に示すように、複数本の紐状体１，１，１…を左右に沿って並整列させる。この左右に並整列された紐状体１，１，１…を左右一定の長さ（ｂ）すなわち紐状体教示具の巾に調節する。例えば通常２４ｃｍ程度の長さとされる。また、並整列された紐状体１，１，１…の一端すなわち相対向する側を縫着などの固着手段で固定する。この紐状体保持帯体２は、水切りの良い強靭性の高い布製の布帛で形成されている。特に材質は限定されない。
【００１６】
紐状体保持帯体２の幅方向の左右両側部には、図２に示すように、所定幅に亘って前記紐状体１の一端部が並配列され、上面から他の布帛が被覆するように重ね合わされ、強靭性の高い縫合糸４，４によって紐状体保持帯体２の左右長手方向に縫合される。このとき左右の紐状体１，１…は左右一定の長さに調節されている。
【００１７】
そして、このように構成されたモップ束体Ａは、図４に示すように、操作柄５端の支持台６上取り付けられている紐状体挟持具７に装着され、清掃に用いられる。このモップ束体Ａの支持台６上への取り付けは、例えば次のようにして実施される。
【００１８】
まず、図４に示すように、操作柄５を逆さに立てた状態で、この操作柄５端の支持台６上に、前記のように紐状体１を縫合した紐状体保持帯体２を載せる。このとき、紐状体１が支持台６上に乗り上げないように左右に振り分け、端部を下方へ垂下させる。
【００１９】
次に、図５に示すように、コ字状の紐状体挟持具７を支持台６上の紐状体保持帯体２に臨ませるように位置させ、この紐状体保持帯体２上に載せる。さらに、このように紐状体保持帯体２に載せた状態の紐状体挟持具７を、矢印Ｂ方向に強く指で押し当てる。
【００２０】
これにより、紐状体挟持具７の両端の垂直片に形成された係止爪８が、この垂直片が撓み変形することによって、支持台６の両端に設けられた係止溝（図示しない）にカチッと嵌まり込む。つまり、紐状体挟持具７のワンタッチ操作によって、モップ束体Ａをモップ支持台６上に堅固に固定することができる。
【００２１】
このように、モップ束体Ａを支持台６上に保持させた状態では、そのモップ束体Ａを水桶などの洗浄槽内の水に浸漬し、洗浄しながらしごいて、水を絞った上で、床の上に載せる。これにより、操作柄５の操作による清掃作業を軽快、迅速に行うことができる。また、このモップ束体Ａの洗浄直後においては、紐状体１は自身の抗張力により、一部が支持台６の上に乗り上げるようなことはない。床などの拭き取り作業に、紐状体１の一部が関与しなくなるという従来の不都合も解消できる。
【００２２】
この場合において、モップ束体Ａは、これを水に浸漬した際に、表面に付着した塵埃を水の中に洗い落とすことができるとともに、紐状体１自体の所定量の吸水性によって汚れをふき取る必要量の水を確保する。しかし、各紐状体１は前述のような構成および性質によって、これらの間に余分な水を保持することはない。つまり、紐状体１自体によって吸水された分以外の水は、紐状体１の表面を伝って洗浄水槽内に滴下する。
【００２３】
従って、モップ束体Ａが水分を過剰に含むことによる重量の過大化を回避でき、操作柄５によるモップ拭き取り作業を軽快かつ迅速に行うことができる。
【００２４】
このように、本実施の形態では、多数の紐状体１を所定の幅方向および厚み方向に重ねて形成し、操作柄５の下端に着脱自在に取り付けて使用するモップ束体Ａであり、紐状体１を、細い紐状体１ａを２枚重ねて幅方向の略中心に沿って縫合されたものから構成し、この縫合した複数本の紐状体１の一端部を、紐状体保持帯体２の幅方向の両端部に整列するように縫合している。
【００２５】
この結果、モップ洗浄の際には、紐状体１自体に適当な吸水性を維持させて所定量の水を保持させ、過剰な水の保持を抑えることができる。また、紐状体１自体が軽量であることと合わせて、水を含むモップ束体Ａの重量が必要以上に大きくなることを回避でき、操作柄５の操作による床面の払拭作業を軽快かつ容易に行うことができる。
【産業上の利用可能性】
【００２６】
本考案のモップ束体は、モップ束体を構成する複数の紐状体自体に軽量で耐久性がある素材を用いることで、清掃作業者の作業負担を軽減可能にするとともに、清掃に適する保水能力を維持して、所期のクリーンな清掃作業を実施することができるという効果を有し、床面などの平坦面の清掃に利用するモップ束体等として有用である。
【図面の簡単な説明】
【００２７】
【図１】本考案の実施の形態によるモップ束体の紐状体を示す斜視図である。
【図２】図１に示すモップ束体の平面図である。
【図３】図１に示すモップ束体の操作柄に対する装着直前の斜視図である。
【図４】図１に示すモップ束体を操作柄に装着する状態の斜視図である。
【図５】図１に示すモップ束体を操作柄に紐状体挟持具で固定する状態の斜視図である。
【符号の説明】
【００２８】
Ａ…モップ束体、１…紐状体、１ａ…細い帯状体、２…紐状体保持帯体、３，４…縫合糸、５…操作柄、６…支持台、７…紐状体挟持具
【図１】
0003134629.tif 000003
【図２】
0003134629.tif 000004
【図３】
0003134629.tif 000005
【図４】
0003134629.tif 000006
【図５】
0003134629.tif 000007